(57)【特許請求の範囲】
【請求項１】
所定の接地パターンを有し、映像信号を出力する映像信号出力回路基板と、
前記映像信号出力回路基板と間隔を開けて配設され、接地電位に固定された接地板と、
前記接地パターン上に配設されるとともに前記接地板に接触して前記接地パターンの電位を接地電位に固定する接地部品と、を備えた映像表示装置であって、  前記接地部品は金属以外の導電性部材で構成され、少なくとも前記接地パターンに垂直な方向に弾力性を有し、
前記接地部品は、
略Ｓ字状の断面形状を有し、前記Ｓ字の上下方向に弾力性を有し、
前記上下方向が前記接地パターンに垂直な方向に一致するように前記接地パターン上に配設されることを特徴とする、映像表示装置。
【請求項２】
所定の接地パターンを有し、映像信号を出力する映像信号出力回路基板と、
前記映像信号出力回路基板と間隔を開けて配設され、接地電位に固定された接地板と、
前記接地パターン上に配設されるとともに前記接地板に接触して前記接地パターンの電位を接地電位に固定する接地部品と、を備えた映像表示装置であって、 前記接地部品は金属以外の弾力性を有する導電性部材で構成され、少なくとも前記接地パターンに垂直な方向に弾力性を有し、
前記接地部品は、前記映像信号出力回路基板の前記接地パターンが形成された側とは反対の主面に接触する第１の構造体と、前記接地パターンに接触する第２の構造体と、
前記第２の構造体から前記第１の構造体と反対側に延在する第３の構造体とを有し、
前記第１および第２の構造体で前記映像信号出力回路基板に設けられた開口部の周辺を挟んで固定され、前記第３の構造体が前記接地板に接触することを特徴とする、映像表示装置。
【請求項３】
所定の接地パターンを有し、映像信号を出力する映像信号出力回路基板と、
前記映像信号出力回路基板と間隔を開けて配設され、接地電位に固定された接地板と、
前記接地パターン上に配設されるとともに前記接地板に接触して前記接地パターンの電位を接地電位に固定する接地部品と、を備えた映像表示装置であって、 前記接地部品は金属以外の導電性部材で構成され、少なくとも前記接地パターンに垂直な方向に弾力性を有し、
前記接地部品は、
表面が導電性膜で覆われた板状の樹脂材を略Ｊ字状に折り曲げた構造を有し、前記Ｊ字の左右方向に弾力性を有し、
前記左右方向が前記接地パターンに垂直な方向に一致するように前記接地パターン上に配設されることを特徴とする、映像表示装置。
【請求項４】
前記接地部品は、導電性ゴムで構成される、請求項１または請求項２記載の映像表示装置。
【請求項５】
前記接地部品は、海綿状構造の導電性材料で構成される、請求項１または請求項２記載の映像表示装置。
【発明の詳細な説明】
【０００１】
【発明の属する技術分野】
本発明は映像表示装置に関し、特にカラー陰極線管を備え不要輻射電波対策を施した映像表示装置に関する。
【０００２】
【従来の技術】
一般的に、カラー陰極線管（以後ＣＲＴと呼称）を備えた映像表示装置においては、映像信号を増幅するビデオアンプ、当該ビデオアンプにより増幅された映像信号を出力する映像信号出力回路基板を備えているが、映像信号出力回路基板からは、多種多様な不要輻射電波が発生している。不要輻射電波の発生元は、映像信号を増幅するビデオアンプであり、プリント配線や基板間を接続する中継線等を経由して、映像信号出力回路基板が影響を受けていると考えられている。
【０００３】
図１２は映像用信号を増幅するビデオアンプ（図示せず）と、当該ビデオアンプにより増幅された映像信号を出力する映像信号出力回路基板１とを有した映像表示装置９０を示す分解斜視図であり、ＣＲＴ３１、ビデオアンプ等が収納され不要輻射電波をシールドする金属製の箱状のケースビデオ４１、ケースビデオ４１を収納するとともに不要輻射電波をシールドする金属製の箱状の外部シールド（リヤプレートと呼称）６９が示されている。なお、実際の映像表示装置９０の構成はさらに複雑であり構成要素も多岐に渡るが、簡単化のため、本発明との関連の希薄な構成は省略している。
【０００４】
映像表示装置９０において、ＣＲＴ３１は、ＣＲＴ３１を構成する電子源（ネック部とも呼称される）３１１の端子３１２が、ケースビデオ４１の開口部４１１を覆うように配設される映像信号出力回路基板１のソケット１１に挿入されるように配設される。そして、ケースビデオ４１はリヤプレート６９に収納され、外部に不要輻射が及ぶことを防止する構成となっている。なお、リヤプレート６９は図示しない構成により接地される構成となっている。
【０００５】
図１３に、映像信号出力回路基板１をケースビデオ４１に取り付ける状態を示す。図１３に示すように、映像信号出力回路基板１はケースビデオ４１の開口部４１１を覆うように配設されるが、映像信号出力回路基板１の接地パターンに半田付けされ電気的に接続された接地線（編組線等を使用）１３がケースビデオ４１にネジ止めされる構成となっている。また、映像信号出力回路基板１の接地パターン（リヤプレート６９に対面する側に配設）にはリン青銅で構成されたバネ剛性を有する接地部品（スプリングと呼称）３６が取り付けられている。
【０００６】
ここで、図１４に映像信号出力回路基板１の接地パターンの一例を示す。図１４においてハッチングで示す領域が接地パターン１４であり、接地パターン１４で囲まれる領域に所定の回路パターンが配設されているが、図示は省略する。なお、スプリング３６は、例えば接地パターン１４上に破線で示す領域１５に半田付け等により固定されることになる。
【０００７】
スプリング３６は、ケースビデオ４１がリヤプレート６９に収納された際に、リヤプレート６９の内壁面に弾力性を有して接触し、映像信号出力回路基板１の接地パターンの電位を確実に接地電位に固定する効果を有している。
【０００８】
このような構成を採るのは、ＣＲＴ３１の電子源３１１方向の寸法精度に誤差が多少含まれることや、映像信号出力回路基板１自体の反り等により、映像信号出力回路基板１の接地パターンをリヤプレート６９に直接接触させることが困難になることに起因している。
【０００９】
このように、映像信号出力回路基板１の接地パターン部分をリヤプレート６９に接続して接地することが不要輻射電波による影響を抑制する対策として施されている。
【００１０】
なお、高周波の不要輻射電波対策としては、接地点は１ヶ所だけでなく複数のヶ所で接地することで、各部位の電位を限りなく同電位に近づける必要があり、そのために図１３に示すように接地線１３がケースビデオ４１（リヤプレート６９にと同電位）に接続される構成となっている。
【００１１】
またスプリング３６は、ケースビデオ４１がリヤプレート６９に収納された際に、映像信号出力回路基板１をケースビデオ４１に押し付けることにより映像信号出力回路基板１の振動およびゆるみを防止する機能も有している。
【００１２】
【発明が解決しようとする課題】
以上説明したように、従来の映像表示装置９０においては、映像信号出力回路基板１の接地パターンの電位を接地電位に固定する一手段として、リン青銅で構成されたスプリング３６を用いていた。
【００１３】
リン青銅は、その剛性が経年変化によって失われにくく、かつ導電性の点でも有効な素材であるが、価格的には非常に高価であり、また、その取り付けも半田付けにより行われるので作業コストが高くなり、高価な不要輻射電波対策となっていた。
【００１４】
本発明は上記のような問題を解決するためになされたもので、コスト的に安価であるとともに、映像信号出力回路基板への取り付けに半田付けを使用せず、取り付けが容易であり、かつ映像信号出力回路基板の振動およびゆるみを防止する機能を有した接地部品により不要輻射電波対策を施した映像表示装置を提供することを目的とする。
【００１５】
【課題を解決するための手段】
本発明に係る請求項１記載の映像表示装置は、所定の接地パターンを有し、映像信号を出力する映像信号出力回路基板と、前記映像信号出力回路基板と間隔を開けて配設され、接地電位に固定された接地板と、前記接地パターン上に配設されるとともに前記接地板に接触して前記接地パターンの電位を接地電位に固定する接地部品とを備え、前記接地部品は金属以外の導電性部材で構成され、少なくとも前記接地パターンに垂直な方向に弾力性を有し、前記接地部品が、略Ｓ字状の断面形状を有し、前記Ｓ字の上下方向に弾力性を有し、前記上下方向が前記接地パターンに垂直な方向に一致するように前記接地パターン上に配設されている。
【００１６】
本発明に係る請求項４記載の映像表示装置は、前記接地部品が導電性ゴムで構成されている。
【００１７】
本発明に係る請求項５記載の映像表示装置は、前記接地部品が、海綿状構造の導電性材料で構成されている。
削除
【００２０】
本発明に係る請求項２記載の映像表示装置は、所定の接地パターンを有し、映像信号を出力する映像信号出力回路基板と、前記映像信号出力回路基板と間隔を開けて配設され、接地電位に固定された接地板と、前記接地パターン上に配設されるとともに前記接地板に接触して前記接地パターンの電位を接地電位に固定する接地部品とを備え、前記接地部品は金属以外の弾力性を有する導電性部材で構成され、少なくとも前記接地パターンに垂直な方向に弾力性を有し、前記接地部品が、前記映像信号出力回路基板の前記接地パターンが形成された側とは反対の主面に接触する第１の構造体と、前記接地パターンに接触する第２の構造体と、前記第２の構造体から前記第１の構造体と反対側に延在する第３の構造体とを有し、前記第１および第２の構造体で前記映像信号出力回路基板に設けられた開口部の周辺を挟んで固定され、前記第３の構造体が前記接地板に接触している。
【００２１】
本発明に係る請求項３記載の映像表示装置は、所定の接地パターンを有し、映像信号を出力する映像信号出力回路基板と、前記映像信号出力回路基板と間隔を開けて配設され、接地電位に固定された接地板と、前記接地パターン上に配設されるとともに前記接地板に接触して前記接地パターンの電位を接地電位に固定する接地部品とを備え、前記接地部品は金属以外の導電性部材で構成され、少なくとも前記接地パターンに垂直な方向に弾力性を有し、前記接地部品が、表面が導電性膜で覆われた板状の樹脂材を略Ｊ字状に折り曲げた構造を有し、前記Ｊ字の左右方向に弾力性を有し、前記左右方向が前記接地パターンに垂直な方向に一致するように前記接地パターン上に配設されている。
【００２３】
【発明の実施の形態】
＜Ａ．実施の形態１＞
＜Ａ−１．装置構成および作用効果＞
図１は本発明に係る実施の形態１の映像表示装置１００のうち、映像信号を増幅するビデオアンプ（図示せず）により増幅された映像信号を出力する映像信号出力回路基板１と、当該映像信号出力回路基板１の接地パターン１４上に配設され、接地パターンの電位を接地電位に固定する手段の１つである接地部品４とを示す斜視図である。
【００２４】
なお、映像表示装置１００は図１２を用いて説明した映像表示装置９０と同様に、ＣＲＴ、ケースビデオ、リヤプレート等を有し、映像信号出力回路基板１はケースビデオの開口部を覆うように配設されるが、特徴を明確にするため、従来と同様の構成においては同様の符号を付し、重複する図示および説明は省略する。これは後述する実施の形態２、３、４における映像表示装置２００、３００、４００においても同様である。
【００２５】
図１において、映像信号出力回路基板１の接地パターン１４上には、直方体状の導電性ゴムにより構成された接地部品４が取り付けられている。接地部品４の材質は、例えばシリコーンゴムを主成分とし、導電性を持たせるための導電性物質が混入されたものであり、その電気抵抗率は１５×１０−３Ωｍ程度となっている。なお、リン青銅の電気抵抗率は０．１８×１０−６Ωｍ程度である。
【００２６】
このように、映像信号出力回路基板１の接地パターン１４上に導電性ゴムで構成された接地部品４を取り付けることで、映像信号出力回路基板１をケースビデオ４１（図１２参照）に取り付け、当該ケースビデオをリヤプレート６９（図１２参照）に収納した際に、接地部品４がリヤプレート（接地板）の内壁面に弾力性を有して面接触し、映像信号出力回路基板１の接地パターン１４の電位を広範囲に渡って確実に接地電位に固定することができる。
【００２７】
また、接地部品４は弾力性を有しているので、ケースビデオをリヤプレートに収納した際に、映像信号出力回路基板１をケースビデオに押し付けることにより映像信号出力回路基板１の振動およびゆるみを防止することができる。
【００２８】
なお、接地部品４の取り付けは、接地部品４の接地パターン１４に対向する面に導電性の接着剤（導電性シリコーン接着剤）を塗布することで行うことができ、半田付けに比べて作業コストを削減できる。
【００２９】
＜Ａ−２．変形例１＞
また、接着剤の代わりに、接地部品４に突起を設け、当該突起を映像信号出力回路基板１に設けた孔に嵌合させるようにしても良い。
【００３０】
図２に、嵌合用の突起４１を有する接地部品４Ａと、嵌合孔１６を有する映像信号出力回路基板１Ａを斜視図で示す。接地部品４Ａの突起４１は接地パターン１４に対向する面に設けられ、その先端は円錐形の楔４１１となっている。そして、映像信号出力回路基板１Ａの嵌合孔１６の直径は突起４１の円錐楔４１１の最大部の直径よりも若干小さくなっており、突起４１が嵌合孔１６に挿入されると、簡単には抜けない構成となっている。
【００３１】
また、突起４１の基部４１２の長さは映像信号出力回路基板１の厚さと同程度とすることで、突起４１が嵌合孔１６に挿入されると、接地部品４Ａが接地パターン１４に密着することになる。
【００３２】
なお、接地部品４Ａを導電性の接着剤を用いて映像信号出力回路基板１Ａに取り付けることで、より密着性を高めることができ、電位固定をより確実に行うことができる。
【００３３】
＜Ａ−３．変形例２＞
以上の説明においては比較的大きな接地部品４を１つだけ使用する例を示したが、接地部品は複数配設しても良い。
【００３４】
すなわち、図３に示す映像表示装置１００Ａのように、複数の接地部品５を映像信号出力回路基板１の接地パターン１４上に配設しても良い。
【００３５】
接地部品５は直方体状あるいは立方体状をなし、間隔を開けて接地パターン１４上に配設されている。
【００３６】
このように、比較的小さな接地部品５は、接地パターン１４の形状が複雑で広い面積が得られないような場合に適しており、また、材料費も削減することができる。
【００３７】
なお、接地部品５の形状は直方体状あるいは立方体状に限定されるものではなく、円筒状や台形状でも良い。
【００３８】
＜Ａ−４．変形例３＞
以上の説明においては、接地部品を導電性ゴムで構成した例を示したが、ゴム自身の硬度が高い場合や、弾力性を有さない材料を使用する場合には、構造的に弾力性を有した形状としても良い。
【００３９】
例えば、図４に示す接地部品６は断面形状が略Ｓ字型となっており、矢示Ａ方向の力を受けると撓む構造となっている。従って、接地部品６の主面６１あるいは６２を接地パターン１４上に当接させるように配設することで、図１および図３に示した接地部品４（接地部品６のＢ方向の寸法を長くした場合に対応）および５（接地部品６のＢ方向の寸法を短くした場合に対応）と同等の作用効果を奏することができる。
【００４０】
なお、図４に示す接地部品６は方向が正反対の２つの屈曲部を有して断面形状が略Ｓ字型となった構造であったが、構造的に弾力性を有するには屈曲部が１つだけの構造、例えば断面形状がＵ字型、Ｊ字型でも良い。
【００４１】
＜Ａ−５．変形例４＞
以上の説明においては、接地部品を導電性ゴムで構成した例を示したが、導電性ゴムの代わりに、導電性スポンジで接地部品を構成するようにしても良い。導電性スポンジの材質としては導電性のガラス繊維をメッシュ状に組み合わせて、多孔質状となったものを使用することができる。
【００４２】
導電性スポンジの剛性や抵抗率については導電性ゴムと同様であるが、導電性スポンジのスポンジ状構造（海綿状構造）の表面積は広い。そして、表皮効果により高周波電流は導体表面にしか流れないので、高周波の不要輻射電波による影響排除効果は接地部品として金属を使用した場合と同様な効果が得られる。
【００４３】
＜Ｂ．実施の形態２＞
＜Ｂ−１．装置構成および作用効果＞
図５は本発明に係る実施の形態２の映像表示装置２００のうち、映像信号を増幅するビデオアンプ（図示せず）により増幅された映像信号を出力する映像信号出力回路基板１Ｂと、当該映像信号出力回路基板１Ｂの接地パターン１４上に配設され、接地パターン１４の電位を接地電位に固定する手段の１つである接地部品７とを示す斜視図である。
【００４４】
図５において、映像信号出力回路基板１Ｂの接地パターン１４には、接地部品７を挿入するための開口部１７が設けられている。ここで、図６を用いて接地部品７および開口部１７の形状について説明する。
【００４５】
図６は接地部品７を開口部１７に挿入する前の状態を示す斜視図である。図６に示すように、接地部品７の形状は、映像信号出力回路基板１Ｂを挟むための略Ｈ字型の主部７１と、当該主部７１に一体に設けられ、主部７１の２つの平行な構造体７１１および７１２（第１および第２の構造体）に対して垂直な方向に延在する基部７２（第３の構造体）を有した形状をなしている。なお、接地部品７は導電性ゴムなどの弾力性を有する導電材で構成されている。
【００４６】
開口部１７は、接地部品７の主部７１の構造体７１１の矢示Ｓ方向の寸法と同等、あるいは若干小さい幅寸法Ｌ１を有する開口部１７１と、該開口部１７１に連通し、主部７１の構造体７１１と７１２との間の構造体７１３の矢示Ｓ方向の寸法と同等の幅寸法Ｌ２を有する開口部１７２とで構成されている。
【００４７】
従って、図６に示すように構造体７１１を開口部１７１に挿入し、構造体７１３が開口部１７２に係合するように接地部品７を移動させることで、図５に示すような状態となって、映像信号出力回路基板１Ｂの開口部１７２の周辺が構造体７１１と７１２とで挟まれ、構造体７１２が接地パターン１４に接触することになる。なお、構造体７１１と７１２との間隔、すなわち構造体７１３の長さを映像信号出力回路基板１Ｂの厚さとほぼ同等とすることで接地部品７が強固に固定されることになる。
【００４８】
図７に、映像信号出力回路基板１Ｂに取り付けられた接地部品７がリヤプレート６９（接地板）に接触した状態を模式的に示す。図７に示すように接地部品７の基部７２は折れ曲がり、その側面がリヤプレート６９の内壁面に弾力性を有して面接触し、映像信号出力回路基板１の接地パターン１４の電位を接地電位に固定することができる。
【００４９】
また、接地部品７は弾力性を有しているので、映像信号出力回路基板１Ｂをケースビデオに押し付け、映像信号出力回路基板１Ｂの振動およびゆるみを防止することができる。
【００５０】
＜Ｂ−２．変形例＞
基板を挟み込むという構成としては、以上説明した接地部品７以外に、図８に示すような接地部品８を使用することができる。
【００５１】
接地部品８は円錐形の楔８１（第１の構造体）と、当該円錐楔８１と間隔を保って配設された鍔部８２（第２の構造体）と、鍔部８２に一体に設けられ、鍔部８２に対して垂直な方向に延在する基部８３（第３の構造体）を有した形状をなしている。なお円錐楔８１と鍔部８２との間には構造体８４が存在する。
【００５２】
このような接地部品８を挿入する映像信号出力回路基板の開口部の形状は、直径が円錐楔８１の最大部の直径よりも若干小さな円形であり、当該開口部に円錐楔８１を挿入すると、映像信号出力回路基板が円錐楔８１と鍔部８２とで挟まれ、鍔部８２が接地パターンに接触することになる。
【００５３】
なお、接地部品８がリヤプレートに接触すると基部８３が折れ曲がり、その側面がリヤプレートの内壁面に弾力性を有して接触することは実施の形態２の接地部品７と同様である。
【００５４】
＜Ｃ．実施の形態３＞
＜Ｃ−１．装置構成および作用効果＞
図９は本発明に係る実施の形態３の映像表示装置３００のうち、映像信号を増幅するビデオアンプ（図示せず）により増幅された映像信号を出力する映像信号出力回路基板１と、当該映像信号出力回路基板１の接地パターン１４上に配設され、接地パターンの電位を接地電位に固定する手段の１つである接地部品９とを示す斜視図である。
【００５５】
図９において接地部品９は略Ｊ字型の断面形状を有し、その表面には金属蒸着膜（例えばアルミ蒸着膜）９１が形成されている。接地部品９の母材は樹脂であるが、略Ｊ字型の形状とすることでバネ剛性を有するようになり、また、金属板で構成する場合に比べて厚みを厚くすることで強度を得るようにしている。
【００５６】
このような構成の接地部品９を導電性両面テープ、例えばアルミ箔を母材とする両面粘着テープ等および導電性の接着剤、例えば導電性シリコーン接着剤により映像信号出力回路基板１の接地パターン１４上に取り付け、それをケースビデオ４１（図１２参照）に取り付け、当該ケースビデオをリヤプレート６９（図１２参照）に収納した際に、接地部品９がリヤプレート（接地板）の内壁面に弾力性を有して面接触し、映像信号出力回路基板１の接地パターン１４の電位を接地電位に固定することができる。
【００５７】
＜Ｄ．実施の形態４＞
＜Ｄ−１．装置構成および作用効果＞
図１０は本発明に係る実施の形態４の映像表示装置４００のうち、映像信号を増幅するビデオアンプ（図示せず）により増幅された映像信号を出力する映像信号出力回路基板１と、当該映像信号出力回路基板１の接地パターン上に配設され、接地パターンの電位を接地電位に固定する手段の１つである接地部品１０と、リヤプレート６９とを示す図である。また、図１１に接地部品１０の組立図を示す。
【００５８】
図１１に示すように、接地部品１０は円筒形のスポンジ体１０１と、当該スポンジ体１０１を巻き込むように配設された導電性ゴムシート１０２とで構成されている。スポンジ体１０１と導電性ゴムシート１０２とは両面テープ等の接着手段により接合される。そして、接地部品１０は映像信号出力回路基板１の接地パターン上に導電性両面テープ、例えばアルミ箔を母材とする両面粘着テープ等および導電性の接着剤、例えば導電性シリコーン接着剤により取り付けられる。
【００５９】
このような構成の接地部品１０が取り付けられた映像信号出力回路基板１をケースビデオ４１（図１２参照）に取り付け、当該ケースビデオをリヤプレート６９（接地板）に収納すると、図１０に示すように、接地部品１０がリヤプレート６９の内壁面に弾力性を有して面接触し、映像信号出力回路基板１の接地パターンの電位を接地電位に固定することができる。
【００６０】
通常、導電性ゴムは一般のゴムに比べてコスト的に高価であるので、導電性ゴムの使用量が少なくて済む本実施の形態は、製品コストの点で有利である。
【００６１】
なお、以上の説明においては接地部品１０の形状は円筒形であったが、直方体形状であっても良いことは言うまでもない。
【００６２】
【発明の効果】
本発明に係る請求項１記載の映像表示装置によれば、接地部品が金属以外の導電性部材で構成されているので、接地パターンへの取り付けを例えば導電性接着剤等で行うことで、半田付けを行う必要がなくなり作業コストを削減できる。また、接地部品は略Ｓ字状の断面形状を有し、前記Ｓ字の上下方向に弾力性を有しているので、部材そのものが弾力性を有さないような材質であっても、映像信号出力回路基板を接地板とは反対方向に押し付けることができ、映像信号出力回路基板の振動およびゆるみを防止することができるとともに不要輻射電波による影響を排除することができる。
【００６３】
本発明に係る請求項４記載の映像表示装置によれば、接地部品が導電性ゴムで構成されるので、接地部品の形状の自由度が高く、例えば、接地部品に突起を設けて、それを映像信号出力回路基板に設けた開口部に嵌合させることで、接地部品を取り付けることが可能となる。
【００６４】
本発明に係る請求項５記載の映像表示装置によれば、接地部品が、海綿状構造の導電性材料で構成されるので、その表面積は広い。そして、表皮効果により高周波電流は導体表面にしか流れないので、高周波の不要輻射電波による影響排除効果は接地部品として金属を使用した場合と同様な効果が得られる。
【００６７】
本発明に係る請求項２記載の映像表示装置によれば、接地部品が金属以外の導電性部材で構成されているので、接地パターンへの取り付けを例えば導電性接着剤等で行うことで、半田付けを行う必要がなくなり作業コストを削減できる。また、第１および第２の構造体で映像信号出力回路基板を挟むことで接地部品が固定されるので、導電性接着剤等を使用する必要がなくなり作業コストを削減できる。
【００６８】
本発明に係る請求項３記載の映像表示装置によれば、接地部品が金属以外の導電性部材で構成されているので、接地パターンへの取り付けを例えば導電性接着剤等で行うことで、半田付けを行う必要がなくなり作業コストを削減できる。また、コスト的に安価な映像表示装置を得ることができる。
【図面の簡単な説明】
【図１】本発明に係る映像表示装置の実施の形態１の特徴部の構成を説明する図である。
【図２】本発明に係る映像表示装置の実施の形態１の変形例の特徴部の構成を説明する図である。
【図３】本発明に係る映像表示装置の実施の形態１の変形例の特徴部の構成を説明する図である。
【図４】本発明に係る映像表示装置の実施の形態１の変形例の特徴部の構成を説明する図である。
【図５】本発明に係る映像表示装置の実施の形態２の特徴部の構成を説明する図である。
【図６】本発明に係る映像表示装置の実施の形態２の特徴部の構成を説明する図である。
【図７】本発明に係る映像表示装置の実施の形態２の作用効果を説明する図である。
【図８】本発明に係る映像表示装置の実施の形態２の変形例の特徴部の構成を説明する図である。
【図９】本発明に係る映像表示装置の実施の形態３の特徴部の構成を説明する図である。
【図１０】本発明に係る映像表示装置の実施の形態４の特徴部の構成を説明する図である。
【図１１】本発明に係る映像表示装置の実施の形態４の特徴部の組立状態を説明する図である。
【図１２】一般的な映像表示装置の構成を説明する分解斜視図である。
【図１３】一般的な映像表示装置の不要輻射電波策の構成を説明する図である。
【図１４】一般的な映像表示装置の映像信号出力回路基板の接地パターンを示す図である。
【符号の説明】
１，１Ａ，１Ｂ  映像信号出力回路基板、４，４Ａ，５〜１０  接地部品、１４  接地パターン、９１  金属蒸着膜、７１１，７１２  構造体、１０１  スポンジ体、１０２  導電性ゴムシート。
【図１】
0003581043.tif 000002
【図２】
0003581043.tif 000003
【図３】
0003581043.tif 000004
【図４】
0003581043.tif 000005
【図５】
0003581043.tif 000006
【図６】
0003581043.tif 000007
【図７】
0003581043.tif 000008
【図８】
0003581043.tif 000009
【図９】
0003581043.tif 000010
【図１０】
0003581043.tif 000011
【図１１】
0003581043.tif 000012
【図１２】
0003581043.tif 000013
【図１３】
0003581043.tif 000014
【図１４】
0003581043.tif 000015